(57)【要約】【課題】本発明は、折畳み式の液晶ディスプレー画面を備えていて、サイズの軽量化及び小型化すると共に大面積ディスプレーを具現するモバイル端末機を提供する。【解決手段】本発明は、入力手段を備えた本体部と、本体部に連結される第１表示部と、第１表示部に連結されて、第１表示部と相互に相対的に稼動される第２表示部と、第１表示部に形成される第１平板表示装置と、第２表示部に形成される第２平板表示装置を含むモバイル端末機であって、第１表示部及び第２表示部は、結合され各々の第１表示部及び第２表示部よりさらに大きい第３表示部を構成することを特徴とする。【選択図】  図２Ｂ
2006174435.tif 000002
【特許請求の範囲】
【請求項１】
入力手段を備えた本体部と、
前記本体部に連結された第１表示部と、
前記第１表示部に連結されて、前記第１表示部と相互に相対的に稼動される
第２表示部と、
前記第１表示部に形成された第１平板表示装置と、
前記第２表示部に形成された第２平板表示装置とを含むモバイル端末機であって、
前記第１表示部と第２表示部とは結合され、前記第１表示部及び第２表示部よりさらに大きい第３表示部を構成することを特徴とする平板表示装置を備えたモバイル端末機。
【請求項２】
前記第１表示部と第２表示部とはヒンジを使用して相互に連結されることを特徴とする請求項１に記載の平板表示装置を備えたモバイル端末機。
【請求項３】
前記第１表示部及び第２表示部は、液晶表示装置を含むことを特徴とする請求項１に記載の平板表示装置を備えたモバイル端末機。
【請求項４】
前記第３表示部は、第１モードまたは第２モードで動作され、映像をディスプレーすることを特徴とする請求項１に記載の平板表示装置を備えたモバイル端末機。
【請求項５】
前記第３表示部は、第３モードでさらに動作され、映像をディスプレーすることを特徴とする請求項４に記載の平板表示装置を備えたモバイル端末機。
【請求項６】
前記第１モードでは、前記第３表示部全体を１つの表示画面として映像をディスプレーすることを特徴とする請求項４に記載の平板表示装置を備えたモバイル端末機。
【請求項７】
前記第２モードでは、前記第１表示部及び第２表示部に各々第１映像及び第２映像を同時にディスプレーすることを特徴とする請求項４に記載の平板表示装置を備えたモバイル端末機。
【請求項８】
前記第３モードでは、前記第１表示部及び第２表示部のうちの何れか一方に、映像全体をディスプレーすることを特徴とする請求項５に記載の平板表示装置を備えたモバイル端末機。
【請求項９】
前記第１平板表示装置及び第２平板表示装置は、折畳み線で相互に接することを特徴とする請求項１に記載の平板表示装置を備えたモバイル端末機。
【請求項１０】
前記第１平板表示装置及び第２平板表示装置の各々は、表示領域と、前記表示領域の周辺部の非表示領域とを含むことを特徴とする請求項９に記載の平板表示装置を備えたモバイル端末機。
【請求項１１】
前記第１平板表示装置及び第２平板表示装置の各々は、前記第１表示部及び第２表示部の上部に備えられた多数の突出部を有するマイクロレンズを含むことを特徴とする請求項１０に記載の平板表示装置を備えたモバイル端末機。
【請求項１２】
前記多数の突出部は、凸レンズ形状を有することを特徴とする請求項１１に記載の平板表示装置を備えたモバイル端末機。
【請求項１３】
前記第１表示部と前記第２表示部との間の折畳み線近くの領域での前記多数の突出部の密度は、前記第１表示部及び第２表示部の各々が前記折畳み線に接する一端に対向する各々の他端近くの領域での前記多数の突出部の密度よりさらに大きいことを特徴とする請求項１１に記載の平板表示装置を備えたモバイル端末機。
【請求項１４】
入力手段を備えた本体部と、
前記本体部に連結される第１表示部と、
前記第１表示部に連結されて、前記第１表示部と相互に相対的に稼動される第２表示部と、
前記第１表示部に形成された第１平板表示装置と、
前記第２表示部に形成された第２平板表示装置とを含む平板表示装置を備えたモバイル端末機。
【請求項１５】
前記本体部は、外部信号を受信する受信部と、
前記外部信号を用いて第１モード及び第２モードのうちの何れか１つのための映像信号情報を生成するホストシステムとを含むことを特徴とする請求項１４に記載の平板表示装置を備えたモバイル端末機。
【請求項１６】
前記本体部と前記第１又は第２表示部とは、相互に反対面に一体型で形成されることを特徴とする請求項１４に記載の平板表示装置を備えたモバイル端末機。
【請求項１７】
前記本体部と前記第１又は第２表示部とは、一体型の単一手段で形成されることを特徴とする請求項１４に記載の平板表示装置を備えたモバイル端末機。
【請求項１８】
前記本体部と前記第１又は第２表示部とは、連結手段を用いて相互に重なるように形成されていることを特徴とする請求項１４に記載の平板表示装置を備えたモバイル端末機。
【請求項１９】
前記連結手段は、前記本体部と前記第１又は第２表示部とを相対的に回転させるピボット部材であることを特徴とする請求項１８に記載の平板表示装置を備えたモバイル端末機。
【請求項２０】
前記連結手段は、前記本体部と前記第１又は第２表示部とを互いに反対方向へスライディングできるように連結するスライディング部材であることを特徴とする請求項１８に記載の平板表示装置を備えたモバイル端末機。
【請求項２１】
前記連結手段は、前記本体部と前記第１又は第２表示部とを相互に折畳むことができるように連結する補助ヒンジ部材であることを特徴とする請求項１８に記載の平板表示装置を備えたモバイル端末機。
【請求項２２】
前記第１表示部及び第２表示部は、ヒンジによって相互に折畳むことができるように連結されることを特徴とする請求項１９〜２１の何れか一項に記載の平板表示装置を備えたモバイル端末機。
【請求項２３】
前記第２表示部は、前記第１表示部と折畳み式に連結された第１拡張表示部及び第２拡張表示部を含むことを特徴とする請求項１４に記載の平板表示装置を備えたモバイル端末機。
【請求項２４】
前記第２表示部は、前記第１表示部と折畳み式で連結された第１拡張表示部と、前記第１拡張表示部と折畳み式で連結された第２拡張表示部とを含むことを特徴とする請求項１４に記載の平板表示装置を備えたモバイル端末機。
【請求項２５】
前記ヒンジ部材は、
前記第１表示部及び第２表示部から各々延長され、前記第１表示部及び第２表示部の外側で相互に重なる第１ヒンジ端及び第２ヒンジ端と、
相互に重なった前記第１ヒンジ端及び第２ヒンジ端を貫通する第１シャフト及び第２シャフトを含むことを特徴とする請求項１４に記載の平板表示装置を備えたモバイル端末機。
【請求項２６】
前記第１シャフト及び第２シャフトは、前記第１表示部と第２表示部との間の折畳み線と一致する位置に形成されていることを特徴とする請求項２５に記載の平板表示装置を備えたモバイル端末機。
【請求項２７】
前記第１ヒンジ端及び第２ヒンジ端は、交互に重なることを特徴とする請求項２６に記載の平板表示装置を備えたモバイル端末機。
【請求項２８】
前記第１表示部及び第２表示部は、各々第１液晶表示装置及び第２液晶表示装置を含むことを特徴とする請求項１４に記載の平板表示装置を備えたモバイル端末機。
【請求項２９】
前記第１液晶表示装置及び第２液晶表示装置の各々は、
ゲート配線、前記ゲート配線と交差して画素領域を定義するデータ配線、前記ゲート配線及びデータ配線に連結される薄膜トランジスタ、及び前記画素領域に配置される画素電極が形成された第１基板と、
液晶層を間に挟み、前記第１基板と相対し、前記画素電極を露出させる開口部を備えたブラックマトリックス、前記開口部にそれぞれ対応して位置する赤色、緑色、青色のカラーフィルターを含むカラーフィルター層、及び前記カラーフィルター層を覆う共通電極が形成された第２基板とを含むことを特徴とする請求項２８に記載の平板表示装置を備えたモバイル端末機。
【請求項３０】
前記第１液晶表示装置及び第２液晶表示装置の各々は、前記第１基板の背面にバックライトアセンブリを更に含むことを特徴とする請求項２９に記載の平板表示装置を備えたモバイル端末機。
【請求項３１】
前記バックライトアセンブリは、発光ダイオードＬＥＤを含むことを特徴とする請求項３０に記載の平板表示装置を備えたモバイル端末機。
【請求項３２】
前記第１液晶表示装置及び第２液晶表示装置は、折畳み線で折畳まれることを特徴とする請求項３０に記載の平板表示装置を備えたモバイル端末機。
【請求項３３】
前記第１液晶表示装置及び第２液晶表示装置の各々は、表示領域と、前記表示領域の周辺の非表示領域とを含むことを特徴とする請求項３２に記載の平板表示装置を備えたモバイル端末機。
【請求項３４】
前記第１液晶表示装置及び第２液晶表示装置の各々は、前記第２基板の外面に多数の突出部を有するマイクロレンズを更に含むことを特徴とする請求項３３に記載の平板表示装置を備えたモバイル端末機。
【請求項３５】
前記多数の突出部は、凸レンズ形状であることを特徴とする請求項３４に記載の平板表示装置を備えたモバイル端末機。
【請求項３６】
前記第１表示部と第２表示部との間の折畳み線近くの領域での前記多数の突出部の密度は、前記第１表示部及び第２表示部の各々が前記折畳み線に接する一端に対向する各々の他端近くの領域での前記多数の突出部の密度よりさらに大きいことを特徴とする請求項３５に記載の平板表示装置を備えたモバイル端末機。
【請求項３７】
前記第１液晶表示装置及び第２液晶表示装置で、１つの単一映像がディスプレーされる第１モードと、前記第１液晶表示装置及び第２液晶表示装置で２つの単一映像が各々ディスプレーされる第２モードで駆動されることを特徴とする請求項２８に記載の平板表示装置を備えたモバイル端末機。
【請求項３８】
前記本体は、
外部信号を受信する受信部と、
前記外部信号を用いて、前記第１モード及び第２モードのうちの何れか一方のための映像信号情報を生成するホストシステムとを含み、
前記第１液晶表示装置及び第２液晶表示装置の各々は、
前記ホストシステムの映像信号情報を用いて映像データ信号及びクロック信号を生成するタイミングコントローラーと、
前記映像データ信号及びクロック信号を用いて走査信号を生成して、前記ゲート配線に供給するゲートドライバーと、
前記映像データ信号及びクロック信号を用いて走査信号を生成して、前記データ配線に供給するデータドライバーとを含むことを特徴とする請求項３７に記載の平板表示装置を備えたモバイル端末機。
【請求項３９】
前記ゲートドライバー及びデータドライバーは、前記第１液晶表示装置及び第２液晶表示装置に各々備えられ形成されていることを特徴とする請求項３８に記載の平板表示装置を備えたモバイル端末機。
【請求項４０】
前記ゲートドライバー及びデータドライバーは、前記第１液晶表示装置及び第２液晶表示装置が各々備えた第１基板に連結された軟性回路基板に形成されることを特徴とする請求項３８に記載の平板表示装置を備えたモバイル端末機。
【請求項４１】
前記本体部は、前記外部信号からビデオ信号を抽出する信号処理部をさらに含み、前記ホストシステムは、前記第１モードで、前記ビデオ信号に含まれた１つの単一映像の情報を２つの補助映像の情報に区分して前記第１液晶表示装置及び第２液晶表示装置の各々に供給し、前記第２モードで、前記ビデオ信号に含まれる１つの単一映像の情報をスケールダウンした１つの縮小単一映像になるようにした情報を前記第１液晶表示装置及び第２液晶表示装置の各々に供給することを特徴とする請求項３８に記載の平板表示装置を備えたモバイル端末機。
【請求項４２】
携帯電話、ノートブックコンピュータ、携帯情報端末機、ナビゲーションシステムのうちの何れか１つであることを特徴とする請求項１４に記載の平板表示装置を備えたモバイル端末機。
【発明の詳細な説明】
【技術分野】
【０００１】
本発明は、折畳み式液晶ディスプレー画面を備えたモービル端末機に係り、より詳しくは、ヒンジによって折ることができる折畳み式液晶ディスプレー画面を備えていて、サイズの軽量化及び小型化を図ると共に大面積ディスプレーを具現するモバイル端末機に関する。
【背景技術】
【０００２】
最近、次世代の移動通信または無線通信と呼ばれているＩＭＴ−２０００サービスが常用化され、全世界は、本格的な地球共同体を具現しており、これに対応して第３世代無線として代表される無線通信市場の席巻を目的とするアメリカ、移動電話市場での世界１位奪還を標榜している日本、相対的に進んだ技術力を土台に、もの静かに未来を準備しているヨーロッパ等の世界無線通信大国等は、質の高いＩＭＴ−２０００サービス環境の構築と先占のための本格的な歩行を始めている。
【０００３】
このようなＩＭＴ−２０００は、地球上空の多数の低軌道衛星を活用するために、使用者が陸上、海上、空中などの共通手段を利用したり、国内外等の場所に限られることなく、有無線及び衛星環境下ではモバイル端末機１つで音声通話だけではなく、動映像、グラフィック等の多様な高速無線通信サービスが享有できると展望されており、工学上、その発展段階は、アナログ移動通信、個人携帯通信(ＰＣＳ)に引き続き、第３世代移動通信に分類されている。
【０００４】
一方、このようなＩＭＴ−２０００サービスにおいて、何よりも重要な比重を占めているのは、個人が所持するモバイル端末機であって、顧客の要求に迎合されるように携帯に手軽な軽量かつ小型のサイズであることを基本として、豊富なユーザインタフェースを備えると同時に、質の高いＡ/Ｖ(Audio/Video)コンテンツの伝送及び実行が現在の主な課題として提示されている。
【０００５】
このために、携帯電話、ノートブックなどのラップトップコンピュータないしＰＤＡ(携帯情報端末)等の携帯用情報通信メディア、ナビゲーションシステムを含むモバイル端末機の主な設計傾向は、なるべく小さいサイズ内で、より大きいディスプレー画面を備えるようにすることである。
【０００６】
一方、このようなモバイル端末機におけるディスプレー画面は、通常液晶表示装置(ＬＣＤ)で構成されるが、これは、その他の平板表示装置に比べる場合、相対的に優れたコントラスト比と色の再現性を提供しており、最近では、技術発展によって既存の陰極線管(ＣＲＴ)に次ぐ映像具現能力を示している。
【０００７】
このような液晶表示装置は、液晶が有する光学的異方性と分極性質を利用するものであって、液晶は分子構造が細くて長く、その配列に方向性を有する光学的異方性と、電場内に置かれた場合の分子配列の方向が変化する分極性質を有する。
【０００８】
ここで、液晶表示装置は、液晶層を間に挟み相互に向かい合う面に、各々電界生成電極が形成された１組の透明絶縁基板を対面合着させた構成であって、両電界生成電極間の電場の変化によって液晶分子の配列方向を任意に調節して、これによる光の透過率の変化によって多様な映像を表示する。
【０００９】
最近は、特に、映像表現の基本単位である画素をマトリックス方式に配列した後、これら各画素が独立的に制御できるように薄膜トランジスタ(ＴＦＴ)等のスイッチング素子を一対一対応させたアクティブマトリックス方式の液晶表示装置が解像度及び動画映像の具現能力が優れて脚光を浴びている。
【００１０】
従って、添付された図１は、一般的な液晶表示装置をディスプレー画面として備えたモバイル端末機の一例として携帯電話を示した斜視図であって、所謂、折畳み式と称される製品がある。
【００１１】
このような折畳み式の形態電話は、キーパッドを備えた本体部と、液晶表示装置を備えた表示部とが１つの単一平面上に存在される既存の所謂、フリップタイプ(flip type)に比べて、より広いディスプレー画面を具現しながらも全体的なサイズを小型化する長所がある。その構造は、簡略にキーパッドのような操作ボタン４を備えた本体部２と、液晶表示装置８を備えた表示部６がヒンジ１０を媒介に折り曲げたり、開いたりする折畳み式構成を有する。
【００１２】
その結果、本体部２と実質的に、ほぼ類似した面積を有する表示部６のほとんどをディスプレー画面として活用して、これらを相互に折り曲げて本体部２または、表示部６程度の面積体積で携帯可能な長所がある。
【００１３】
ところが、前述した携帯電話等のモバイル端末機のディスプレー画面は、表示部６以下の限られたサイズを有する１つの液晶表示装置８で具現されることがすべてであるので、質の高いビデオコンテンツの実行に関する顧客の要求を満足させられない短所がある。
【００１４】
さらに、最近は、各種のモバイル端末機は、その機能が徐々に統合されており、例えば、携帯電話にデジタルカメラが装着され写真撮影が可能であって、衛星を利用した映画配信ないしナビゲーション等の多様な機能を備えているが、まだ限られたサイズを有する１つの液晶表示装置８によって画面を具現することを除いては他の方法を探せず、ディスプレー画面が狭小過ぎると言う短所がある。
【発明の開示】
【発明が解決しようとする課題】
【００１５】
本発明は、前述したような問題を解決するために、サイズの軽量化かつ小型化を維持しながらもディスプレーの大面積化が可能となるモバイル端末機を提供することを目的とする。
【００１６】
このために、本発明は、折畳み可能な少なくとも２つの液晶表示装置をディスプレー画面として活用するモバイル端末機を具現し、特に、各液晶表示装置間を連結する部分で発生する画面分離現象を大幅に減少させると同時に、多数の液晶表示装置全体において１つの映像を表示したり、または、別個の映像を各々表示する等の多様なモードで動作するようにし、より質の高いビデオコンテンツの実行が可能なモバイル端末機を提供する。
【課題を解決するための手段】
【００１７】
前述したような目的を達成するための本発明は、入力手段を備えた本体部と、本体部に連結される第１表示部と、第１表示部に連結されて、第１表示部と相互に相対的に稼動される第２表示部と、第１表示部に形成された第１平板表示装置と、第２表示部に形成された第２平板表示装置を含むモバイル端末機であって、第１表示部及び第２表示部は、結合され各々の第１表示部及び第２表示部よりさらに大きい第３表示部を構成していることを特徴とする。
【００１８】
第１表示部及び第２表示部は、ヒンジを使用して相互に連結されて、第１表示部及び第２表示部は、液晶表示装置を含む。また、第３表示部は、第１モードまたは第２モードで動作され映像をディスプレーしたり、第３表示部は、第３モードでさらに動作され映像をディスプレーすることを特徴とする。
【００１９】
第１モードでは、第３表示部全体を１つの表示画面として映像をディスプレーして、第２モードでは、第１表示部及び第２表示部に各々第１映像及び第２映像を同時にディスプレーして、第３モードでは、第１表示部及び第２表示部のうちの何れか一方に、映像全体をディスプレーすることを特徴とする。
【００２０】
第１平板表示装置及び第２平板表示装置は、折畳み線で相互に接して、第１平板表示装置及び第２平板表示装置の各々は、表示領域と表示領域の周辺部の非表示領域とを含むことを特徴とする。
【００２１】
また、第１平板表示装置及び第２平板表示装置の各々は、第１表示部及び第２表示部の上部に備えられた多数の突出部を有するマイクロレンズを含むことを特徴とする。
【００２２】
この時、多数の突出部は、凸レンズ形状を有することを特徴とする。
【００２３】
また、第１表示部と第２表示部との間の折畳み線近くの領域での多数の突出部の密度は、第１表示部及び第２表示部の各々が折畳み線に接する一端と対向する各々の他端近くの領域での多数の突出部の密度よりさらに大きいことを特徴とする。
【００２４】
また、本発明は、入力手段を備えた本体部と、本体部に連結された第１表示部と、第１表示部に連結されて、第１表示部と相互に相対的に稼動される第２表示部と、第１表示部に形成される第１平板表示装置と、第２表示部に形成された第２平板表示装置とを含むことを特徴とする。
【００２５】
本体部は、外部信号を受信する受信部と、外部信号を用いて第１モード及び第２モードのうちの１つのための映像信号情報を生成するホストシステムとを含むことを特徴とする。
【００２６】
本体部と第１又は第２表示部とは、相互に反対面に一体型で形成されたり、一体型の単一手段で形成されたり、連結手段を用いて相互に重なるように形成され、連結手段は、本体部と表示部を相対的に回転させるピボット部材であったり、本体部と第１又は第２表示部とを互いに反対方向へスライディングできるように連結するスライディング部材であったり、本体部と第１又は第２表示部とを相互に折畳むことができるように連結する補助ヒンジ部材であることを特徴とする。
【００２７】
この時、第１表示部及び第２表示部は、ヒンジを使用して相互に折畳むことができるように連結される。
【００２８】
第２表示部は、第１表示部と折畳み式で連結される第１拡張表示部及び第２拡張表示部を含み、第２表示部は、第１表示部と折畳み式で連結される第１拡張表示部と、第１拡張表示部と折畳み式に連結される第２拡張表示部とを含むことを特徴とする。
【００２９】
ヒンジ部材は、第１表示部及び第２表示部から各々延長され、第１表示部及び第２表示部の外側で相互に重なる第１ヒンジ端及び第２ヒンジ端と、相互に重なった第１ヒンジ端及び第２ヒンジ端を貫通する第１シャフト及び第２シャフトとを含み、第１シャフト及び第２シャフトは、第１表示部と第２表示部との間の折畳み線と一致する位置に形成され、第１ヒンジ端及び第２ヒンジ端は、交互に重なることを特徴とする。
【００３０】
第１表示部及び第２表示部は、各々第１液晶表示装置及び第２液晶表示装置を含み、この時、第１液晶表示装置及び第２液晶表示装置の各々は、ゲート配線、ゲート配線と交差して画素領域を定義するデータ配線、ゲート配線及びデータ配線に連結される薄膜トランジスタ、画素領域に配置される画素電極が形成された第１基板と、液晶層を間に挟み、第１基板と相対して、画素電極を露出させる開口部を備えたブラックマトリックス、各開口部に対応する赤色、緑色、青色のカラーフィルターを含むカラーフィルター層、カラーフィルター層を覆う共通電極が形成された第２基板とを含むことを特徴とする。
【００３１】
第１液晶表示装置及び第２液晶表示装置の各々は、第１基板の背面にバックライトアセンブリをさらに含み、バックライトアセンブリは、発光ダイオードＬＥＤを含む。
【００３２】
第１液晶表示装置及び第２液晶表示装置は、折畳み線で折畳まれ、第１液晶表示装置及び第２液晶表示装置の各々は、表示領域と、表示領域の周辺の非表示領域とを含み、第２基板の外面に多数の突出部を有するマイクロレンズをさらに含むことを特徴とする。
【００３３】
多数の突出部は、凸レンズ形状を有して、第１表示部と第２表示部との間の折畳み線近くの領域での多数の突出部の密度は、第１表示部及び第２表示部の各々が折畳み線に接する一端に対向する各々の他端近くの領域での多数の突出部の密度よりさらに大きいことを特徴とする。
【００３４】
また、第１液晶表示装置及び第２液晶表示装置で、１つの単一映像がディスプレーされる第１モードと、第１液晶表示装置及び第２液晶表示装置で２つの単一映像が各々ディスプレーされる第２モードで駆動されることを特徴とする。
【００３５】
本体部は、外部信号を受信する受信部と、外部信号を用いて、第１モード及び第２モードのうちの何れか一方のための映像信号情報を生成するホストシステムとを含み、第１液晶表示装置及び第２液晶表示装置の各々は、ホストシステムの映像信号情報を用いて映像データ信号及びクロック信号を生成するタイミングコントローラーと、映像データ信号及びクロック信号を用いて走査信号を生成して、ゲート配線に供給するゲートドライバーと、映像データ信号及びクロック信号を用いて走査信号を生成して、データ配線に供給するデータドライバーとを含むことを特徴とする。
【００３６】
ゲートドライバー及びデータドライバーは、第１液晶表示装置及び第２液晶表示装置に各々備えられ形成され、第１液晶表示装置及び第２液晶表示装置に備えられた各々の第１基板に連結された軟性回路基板に形成されていることを特徴とする。
【００３７】
本体部は、外部信号からビデオ信号を抽出する信号処理部をさらに含み、ホストシステムは、第１モードでビデオ信号に含まれる１つの単一映像の情報を２つの補助映像の情報に区分して、第１液晶表示装置及び第２液晶表示装置の各々に供給し、第２モードでビデオ信号の１つの単一映像の情報を、スケールダウンした１つの縮小単一映像の情報になるようにして、第１液晶表示装置及び第２液晶表示装置の各々に供給することを特徴とする。
【００３８】
本発明を適用したモバイル端末機は、携帯電話、ノートブックコンピュータ、携帯情報端末機、ナビゲーションシステムのうちの何れか１つであることを特徴とする。
【発明の効果】
【００３９】
本発明は、折畳むことができる液晶ディスプレー画面のような平板表示装置を備えたモバイル端末機を提供して、サイズの軽量化かつ小型化を維持しながらも、さらに広いディスプレー画面を具現する。
【００４０】
また、折畳み式で連結される、少なくとも２つの液晶表示装置は、本発明によるマイクロレンズフィルムによって、境界部分での画面分離現象なしに、連続した１つの画面に示されて、その結果、質の高い映像表現ができて、特に、多数の液晶表示装置全体において、１つの映像を表示したり、または、別個の映像を各々表示する等、多様なモードで動作できて、より改善される。
【００４１】
さらに、本発明は、携帯電話、ノートブック、ＰＤＡ(携帯情報端末)、ナビゲーションデバイス、デジタルカメラ、デジタルビデオレコーダー、車両用小型ＴＶアプリケーション等のように、ビデオコンテンツの実行のためのディスプレー画面を備えた全ての種類のモバイル端末機に適用できる長所がある。従って、前述した説明は、いくつかの例示に過ぎないことを、当業者は、簡単に理解することができる。
【００４２】
本発明は、多様な形態に変形できて、使用者の要求を忠実に満足させる効果があって、本発明の技術的思想を利用した全ての変形は、本発明の権利範囲に属して、これは、以下の請求範囲を通じてより明確になる。
【００４３】
以下、図面を参照して本発明をより詳しく説明する。この時、本発明は、いくつかの実施例に区分できるために、各実施例別に区分して説明する。
但し、以下の説明で本発明によるモバイル端末機は、携帯電話、ノートブック、ＰＤＡ、ナビゲーションデバイス、デジタルカメラ、デジタルビデオレコーダー、車両用ＴＶアプリケーション等のように、ビデオコンテンツの実行のためのディスプレー画面を備えた全ての種類のモバイル端末機に適用できることを実施例別に示して、便宜上、第１実施例を基本として各実施例別に共通的な内容を述べて、この過程中に、各々をモバイル端末機と総称して、図面及び説明においても、実質的に同一な役割をする同一要素には、同一な図面符号を付与することによって説明の重複を防ぐ。
【００４４】
＜第１実施例＞
図２Ａと図２Ｂは、本発明の第１実施例によるモバイル端末機５０の使用形態別の斜視図であって、一例として携帯電話を示している。
図示したように、本発明によるモバイル端末機５０は、操作ボタン６２を備えた本体部６０と、これに結合される表示部７０、表示部７０とヒンジ８０によって折畳み式に連結される拡張表示部９０を含むが、本実施例では、特に、本体部６０と表示部７０が各々前後面を構成するように一体化されたことを特徴とする。
【００４５】
その結果、図２Ａに図示したように、全面の本体部６０には、入力手段６２としてキーパッドが露出されており、この背面、すなわち、図２Ｂに図示したように、表示部７０は、その一端に備えられたヒンジ８０を介して折畳みできるように、拡張表示部９０と連結されており、この表示部７０と拡張表示部９０の内面には、各々に対応して第１液晶表示装置１００と第２液晶表示装置２００が備えられている。
【００４６】
この時、図面に示したように、本体部６０の入力手段６２と同一面内に他の別個の平板表示装置６４を備えて、これによって表示部７０と拡張表示部９０を開かなくても、使用者は比較的簡単にディスプレー画面を利用することができる。また、図面に示してはないが、モバイル端末機５０には、少なくとも１つのスピーカーを備える。例えば、使用するスピーカーとしては、一般的な用途にも使用される標準スピーカー、イヤホーンまたは、大型スピーカーが挙げられる。
【００４７】
一方、本発明の第１実施例によるモバイル端末機５０は、表示部７０と拡張表示部９０を折り曲げて小さいサイズで携帯できるとともに、表示部７０と拡張表示部９０を開けて、これら各々の内面に備えられた第１液晶表示装置１００と第２液晶表示装置２００により各種の映像を大面積の画面に表示することができる。勿論、第１液晶表示装置１００及び第２液晶表示装置２００としては、液晶表示装置の代わりに、その他の平板表示装置を適用することも可能である。
【００４８】
この時、折畳み式ディスプレー画面を構成する第１液晶表示装置１００及び第２液晶表示装置２００は、実質的に同一な構造を有する。図３は、第１液晶表示装置１００及び第２液晶表示装置２００のうち任意の一方について、その一部を分解した斜視図である。図３を参照すると、図示したように、液晶層１３０を間に挟み、相互に対面合着された第１基板１１０及び第２基板１２０で構成される液晶パネル１０２と、これの背面に備えられ、光を供給するバックライトアセンブリ１４０とを含む。
【００４９】
その他にも、回路部が含まれるが、これは、後述する該当部分でより詳しく説明する。このうち、第１基板１１０は、通常下部基板または、アレイ基板と称されており、第１絶縁基板１１２、液晶層１３０と接する側の一面に、多数のゲート配線１１４とデータ配線１１６とをマトリックス状に交差させ、四角形状の画素Ｐを縦横に反復して定義しており、ゲート配線１１４とデータ配線１１６との交差点には、薄膜トランジスタＴを備えて各画素Ｐに実装された透明な画素電極１１８が一対一に対応して連結されている。
【００５０】
また、第１基板１１０と対面する第２基板１２０は、通常上部基板または、カラーフィルター基板と称されており、液晶層１３０と接する側の一面に、第１基板１１０のゲート配線１１４、データ配線１１６、及び薄膜トランジスタＴ等のように液晶駆動と直接的に関連のない部分を遮って各画素電極１１８だけを露出させるように縦横に反復された格子状の開口部を有するブラックマトリックス１２５と、各開口部に充填される一例として、赤色Ｒ、緑色Ｇ、青色Ｂのカラーフィルター１２６ａ、１２６ｂ、１２６ｃと、これを覆う透明な共通電極１２８とを備えている。
【００５１】
この場合、図面上に明確に示してはないが、第１基板１１０及び第２
基板１２０の外面には、光の偏光方向を決定する第１偏光板及び第２偏
光板が付着されており、液晶層１３０と接する第１基板１１０及び第２基板１２０の内面には、各々液晶分子の配列方向を決定する配向膜が介在されている。また、説明していない符号１５０は、本発明の特徴の１つであるマイクロレンズフィルムを示したものであって、これも後述する該当部分でより詳しく説明する。
【００５２】
また、このような液晶パネル１０２は、自体発光要素を備えてない関係から、これの背面にバックライトアセンブリ１４０を備えており、バックライトアセンブリ１４０には、光を発する光源と、これから出射された光を高品位の均一輝度で加工して、液晶パネル１０２に供給するように導光板(ＬＧＰ；Light Guide Panel)ないし複数の光学シーツを含む。この時、光源としては、１つ以上の発光ダイオード(ＬＥＤ)を使用することがサイズの面で有利である。
【００５３】
従って、前述した液晶パネル１０２は、画素電極１１８と共通電極１２８との間の電位の差によって、その間に介在された液晶分子の配列方向を変化させて透過率の差を示し、バックライトアセンブリ１４０の光が液晶パネル１０２を通過する間、各画素別の透過率と赤色Ｒ、緑色Ｇ、青色Ｂのカラーフィルター１２６ａ、１２６ｂ、１２６ｃの色の組合によって、多様な映像を表示する。
【００５４】
図２Ａないし図２Ｂで示した本発明によるモバイル端末機５０の表示部７０と拡張表示部９０の内面に各々備えられた第１液晶表示装置１００及び第２液晶表示装置２００は、共通する構成要素である液晶パネル１０２とバックライトアセンブリ１４０とが上下に重なった状態であって、各々の第２基板１２０の外面が外部へと露出される。
【００５５】
一方、前述した液晶パネル１０２を構成する第１基板１１０と第２基板１２０とを合着させるために、これらの間の端側を取り囲むようにシールパターン１４２が形成されるが、これを境界に液晶パネル１０２は、内部の表示領域Ａと、これの端側を取り囲む非表示領域Ｂとに区分される。
【００５６】
また、前述した画素Ｐ等は、表示領域Ａに定義されて、非表示領域Ｂには、別途の回路部に接続されるようにゲート配線１１４から引出されたゲートパッド電極、データ配線１１６から引出されたデータパッド電極１１７等が配置されるが、これに関するより詳しい内容と、先ほど説明を保留した回路部に関しては、前述した図２Ａ及び図２Ｂ、図３と図４を参照して説明する。この時、図４は、任意の液晶表示装置のブロック回路図である。
【００５７】
これを参照すると、本発明によるモバイル端末機５０に備える各液晶表示装置１００、２００は、液晶パネル１０２を備えているが、液晶パネル１０２には、ゲート配線１１４とデータ配線１１６が縦横に交差して画素Ｐを形成し、これらのうち、２種類の配線交差点には、薄膜トランジスタＴが形成され、各画素領域Ｐに実装された画素電極１１８が一対一に対応して連結されることは、前述した。この時、各々の薄膜トランジスタＴは、ゲート配線１１４に連結されるドレイン電極、正孔または電子の移動通路である半導体層を含む。
【００５８】
画素電極１１８は、液晶層１３０を間に挟み、共通電極１２８と対向して液晶キャパシターＣｌｃを構成して、データ配線１１６には、液晶キャパシターＣｌｃの充電信号ないし液晶駆動信号であるフレーム別映像信号が伝達され、ゲート配線１１４には、薄膜トランジスタＴのオン/オフ信号であるフレーム別走査信号がスキャン伝達される。その他、図面には示してないが、各画素Ｐには、寄生容量を解決するためのストレージキャパシターが備えられて、液晶キャパシターＣｌｃと並列して連結される。
【００５９】
従って、各々の薄膜トランジスタＴは、ゲート配線１１４の走査信号によってデータ配線１１６の映像信号を液晶キャパシターＣｌｃに接続させるスイッチの役割をして、この映像信号によって画素電極１１８と共通電極１２８との間の電位の差を有する。
【００６０】
一方、このような液晶パネル１０２の駆動のためには、別途の回路部を備えて、これは、本体部６０のホストシステム３００から伝達された映像信号情報によって映像データ信号及び各種のクロック信号を生成するタイミングコントローラー１６０と、映像データ信号及び各種のクロック信号によってスキャン走査信号とフレーム別映像信号を生成して、各々ゲート配線１１４とデータ配線１１６とに伝達するゲートドライバー１６４及びデータドライバー１６６を含む。その他、この回路部には、データドライバー１６６のフレーム別映像信号生成のための基準電圧を提供する階調電圧回路及び回路部全体の駆動のための電源回路を備えている。
【００６１】
この時、ゲートドライバー１６４は、多数のゲート配線１１４に連結されて、データドライバー１６６は、多数のゲート配線１１６に各々連結されるが、ゲート配線１１４及びデータ配線１１６の少なくとも一端部は、各々非表示領域Ｂへと延長され、ゲートパッド電極１１５及びデータパッド電極１１７を構成しており、ゲートドライバー１６４及びデータドライバー１６６は連結配線１１９等を介してゲートパッド電極１１５及びデータパッド電極１１７に各々接続される。
【００６２】
この場合、薄膜トランジスタＴの半導体層として、ポリシリコンを使用する場合には、ゲートドライバー１６４とデータドライバー１６６が液晶パネル１０２内に実装され、所謂、ＣＯＧ(Chip On Glass)構造を構成したり、これとは異なり、ゲートドライバー１６４とデータドライバー１６６を軟性回路基板(ＦＰＣ；Flexible Printed Circuit board)に搭載させた状態で、これの内部配線を介してゲートパッド電極１１５及びデータパッド電極１１７に各々接続させるＣＯＦ(Chip On Film)形態も可能である。
【００６３】
さらに、図面に示したように、ゲートドライバー１６４及びデータドライバー１６６の全てが液晶パネル１０２の一端に配置されることも、小型化できるという長所があるため、よく使用される方法である。
【００６４】
一方、本発明によるモバイル端末機５０の他の特徴のうちの１つは、第１液晶表示装置１００及び第２液晶表示装置２００の全体によって１つの単一映像を表現する第１モード、第１液晶表示装置１００及び第２液晶表示装置２００の各々に別個の映像を表示する第２モードを有することである。このために、本体部６０は、該当機能を実行するホストシステム３００を備えている。
【００６５】
図５は、本発明によるモバイル端末機５０のうち、映像表示と関連する部分だけを簡略に示したブロック図である。モバイル端末機５０の本体部としては、外部の各種信号情報を受信する受信部３１０と、このうち、ビデオ信号だけを抽出する信号処理部３１２と、このビデオ信号によって第１モード及び第２モード別に各第１液晶表示装置１００及び第２液晶表示装置２００へ伝達される映像信号情報を生成するホストシステム３００を備える。
【００６６】
このうち、受信部３１０は、アンテナ等を含むデータインタフェースであって、電話通話を始めとしてＡ/Ｖコンテンツ等の各種信号情報が受信される部分である。また、信号処理部３１２によって各種信号情報のうち、映像表現と関連するビデオ信号だけがホストシステム３００に伝達されるが、ホストシステム３００は、第１モードで、第１液晶表示装置１００及び第２液晶表示装置２００の全体において１つの映像が示されるように第１液晶表示装置１００及び第２液晶表示装置２００別にイメージを分割し、また、第２モードでは、第１液晶表示装置１００または第２液晶表示装置２００に表示されるか、第１液晶表示装置１００及び第２液晶表示装置２００の全体に表示されるように、該当サイズに合わせてスケールを制御した後、各液晶表示装置１００、２００の回路部で処理可能な映像信号情報を生成するイメージプロセッシングが行われる。従って、ホストシステム３００は、一般的なビデオアダプターとして機能する。
【００６７】
その結果、第１モードで、第１液晶表示装置１００及び第２液晶表示装置２００の全体において１つの映像が具現され、第２モードで、各々別途の映像を表示したり、または、どちらか１つだけで映像を表現したりする。
【００６８】
再び、図２Ａ及び図２Ｂを参照すると、本発明によるモバイル端末機５０は、折畳み可能な第１液晶表示装置１００及び第２液晶表示装置２００が実質的に１つのディスプレー画面を構成しており、特に、第１モードで、第１液晶表示装置１００と第２液晶表示装置２００との間の境界部分に表れる映像分離現象を防いで、連続した１つの画面を提供することを特徴とする。
【００６９】
このために、本発明によるモバイル端末機５０の表示部７０及びこれと折畳まれる拡張表示部９０の各々の内面に備えられた第１液晶表示装置１００及び第２液晶表示装置２００は、表示部７０と拡張表示部９０との間の境界、すなわち、折畳み線Ｌで密着される。
【００７０】
ところが、前述した説明を振り返りながら図４を参照すると、映像を具現する液晶パネル１０２は、各々内部の表示領域Ａとこれを取り囲む非表示領域Ｂとに区分されるとしたために、折畳み線Ｌで密着される部分は、第１液晶表示装置１００及び第２液晶表示装置２００の液晶パネル１０２のうち、非表示領域Ｂであって、表示領域Ａは、相互に一定間隔を置いて離隔される。従って、このことによる映像分離現象を防いで、連続した１つの映像が示されるように、第１液晶表示装置１００及び第２液晶表示装置２００の液晶パネルの外面には、上記で参照した図３に示したようにマイクロレンズフィルム１５０が付着されている。
【００７１】
これについて、図２ＢのＶＩ−ＶＩ線に沿って切断した断面を示した図６Ａと、図２ＢのＫ部分の拡大平面図である図６Ｂと、上記で参照した図３も同時に参照して説明する。この時、便宜上、第１液晶表示装置１００の第１液晶パネルに図面符号１０２、第２液晶表示装置２００の第２液晶パネルに図面符号２０２を付与して各々を区分すると、図示したように、第１液晶パネル１０２及び第２液晶パネル２０２は、相互に対応する一端の非表示領域Ｂ、Ｂ′が折畳み線Ｌに沿って密着される。この時、第２液晶パネル２０２において、図面符号２１０と２２０は、各々第１基板２１０及び第２基板２２０であって、２３０は、これらの間に介在される液晶層、２４２は、第１基板２１０及び第２基板２２０を合着させるためのシールパターンである。
【００７２】
また、第１液晶表示装置１００及び第２液晶表示装置２００の外面には、マイクロレンズフィルム１５０が付着されているが、これは、多数の微細凹凸１５０ａが突出形成された透明シーツの形態を有して、微細凹凸１５０ａは、図示したように、各々凸レンズの形状を有する。さらに、このような微細凹凸１５０ａは、図６Ｂに示したように、第１液晶パネル１０２及び第２液晶パネル２０２の外面全体において、規則的に配列されるが、これとは異なり、少なくとも折畳み線Ｌの近く、正確には、相互に隣接した第１液晶パネル１０２及び第２液晶パネル２０２の非表示領域Ｂ、Ｂ′と、これら各々に隣接した表示領域Ａ、Ａ′との間に密集分布される。
【００７３】
従って、第１液晶パネル１０２及び第２液晶パネル２０２の表示領域Ａ、Ａ′のうち、特に、折畳み線Ｌを中間線として相互に近接した部分から出射された光は、微細凹凸１５０ａによってその間の非表示領域Ｂ、Ｂ′の方向へ屈折進行するため、観察者は、第１液晶パネル１０２及び第２液晶パネル２０２の非表示領域Ｂ、Ｂ′で映像が具現され、境界部分での画面分離のない自然な１つの画面として認識する。
【００７４】
この時、各々の微細凹凸１５０ａは、できるだけその大きさが小さく数量が多い場合に、第１液晶パネル１０２及び第２液晶パネル２０２の折畳みを邪魔しないで、より自然な映像が具現できる。そのため、各微細凹凸１５０ａの大きさは、数ないし数百マイクロメーター程度が望ましく、相互に隣接して連続配列される。
【００７５】
さらに、本発明の表示部７０と拡張表示部９０を開いた場合に、上述したような第１液晶表示装置１００及び第２液晶表示装置２００の第１液晶パネル１０２及び第２液晶パネル２０２における密着状態を維持すると同時に、安定的な折畳み動作を可能にするヒンジ８０を提供するが、これは、前述した図２Ａ及び図２Ｂを参照して説明する。
【００７６】
図示したように、本発明によるモバイル端末機５０において、表示部７０と拡張表示部９０を連結するヒンジ８０は、表示部７０と拡張表示部９０とが折畳み線Ｌに近接した両側面で各々相互に向かい合う方向に分岐され、この折畳み線Ｌの両側面で重なる１組の第１ヒンジ端８２及び第２ヒンジ端８４と、このように相互に重なった第１ヒンジ端８２及び第２ヒンジ端８４を各々貫通する第１シャフト８６及び第２シャフト８８を含む。
【００７７】
この時、第１シャフト８６及び第２シャフト８８は、望ましくは、折畳み線Ｌを延長した直線と中心軸が相互に一致し、さらに、第１ヒンジ端８２及び第２ヒンジ端８４は、各々交互に重なることが、頻繁に折畳まれる動きによって受ける衝撃を効果的に分散し、表示部７０に備えた第１液晶表示装置１００と拡張表示部９０に備えた第２液晶表示装置２００が最大に近接して開くため有利である。
【００７８】
上述した本発明の第１実施例によるモバイル端末機５０は、第１モードで、 第１液晶表示装置１００及び第２液晶表示装置２００の全体に画面分離現象のない質の高い単一映像を表示できて、必要に応じて、第２モードで、第１液晶表示装置１００及び第２液晶表示装置２００別に映像を表示できる。
【００７９】
＜第２実施例＞
本発明の第２実施例は、前述した第１実施例に基づいた応用形態である。従って、携帯電話を一例として、図７Ａないし図７Ｃで、各使用形態による平面図を示している。
【００８０】
ここで、第１実施例との差異点を主に説明すると、これは、本体部６０と表示部７０が別途に構成されるが、相互に重なった状態で、これら各々の偏心された一地点をシャフトのようなピボット部材４０２が連結している。また、この場合、キーパッドのような入力手段６２は、表示部７０に接する本体部６０の上面に備えられ、拡張表示部９０は、表示部７０の外面で折畳まれる。
【００８１】
その結果、図７Ａのように、本体部６０と表示部７０と拡張表示部９０とがそれぞれ互いに重なった状態で携帯され、必要に応じて、図７Ｂのように、表示部７０と拡張表示部９０とが折畳まれた状態で、ピボット部材４０２を軸として、この全てを本体部６０で回転させて入力手段６２を露出することによって、電話通話等に利用できる他、大面積ディスプレー画面が必要な場合には、図７Ｃに示したように、表示部７０に折畳まれた拡張表示部９０を開けて各々の折畳まれた内面に備えられた第１液晶表示装置１００及び第２液晶表示装置２００などの平板表示装置によって。第１モードまたは第２モードで映像を表示することができる。
【００８２】
この時、必要に応じて、拡張表示部９０の外面、すなわち、表示部７０と拡張表示部９０を開く前の段階で、外部に露出される拡張表示部９０の外面に、別途の平板表示装置６４を付着して、簡単な映像を表示することもできる。
【００８３】
一方、上述した本発明の第２実施例によるモバイル端末機５０において、その他のマイクロレンズフィルム１５０が付着された第１液晶表示装置１００、第２液晶表示装置２００、及びヒンジ８０等は、前述した第１実施例と同様である。
【００８４】
＜第３実施例＞
図８Ａないし図８Ｃは、本発明の第３実施例によるモバイル端末機の使用形態による平面図を示している。但し、これも携帯電話に適用された例である。
【００８５】
ここで、前述した第２実施例と比較すると、本体部６０と表示部７０が相互に重なっている点では同一であるが、ピボット部材の代わりに、スライディング溝及びこれに挿入される突起等のスライディング部材４０４によって本体部６０と表示部７０とが互い反対方向にスライディングできて、表示部７０に接する本体部６０の上面に備えたキーパッド等の入力手段６２が外部に露出されるようにしている点が異なる。
【００８６】
その他には、表示部７０の外面側で拡張表示部９０が折畳まれている点では同一であるが、図８Ａと図８Ｂに示したように、表示部７０と拡張表示部９０を開く前の段階で、外部に露出されている拡張表示部９０の外面に、別途の平板表示装置６４を付着させる形態も可能である。
【００８７】
従って、図８Ａに示したように、本体部６０と表示部７０と拡張表示部９０とがそれぞれ互いに重なるように合わせられた状態で携帯され、必要に応じて、図８Ｂのように、表示部７０及び拡張表示部９０を本体部６０からスライディングさせて入力手段６２を露出させた後、電話通話等に利用できる他、大面積のディスプレー画面が必要な場合には、図８Ｃに示したように、表示部７０に折畳まれた拡張表示部９０を開けて各々の折畳まれた内面に備えられた第１液晶表示装置１００及び第２液晶表示装置２００などの平板表示装置によって、第１モードまたは第２モードで映像を表示することができる。
【００８８】
尚、スライディング部材４０４は、既存の公知された内容に技術的に基づいているために別途の説明は省略する。
【００８９】
＜第４実施例＞
図９Ａないし図９Ｃは、本発明の第４実施例によるモバイル端末機を携帯電話に適用された場合を示している。
【００９０】
これは、前述した第２実施例と使用方法ないし構成において、ほとんど同一であるが、表示部７０と拡張表示部９０の短軸が相互に連結された点では異なり、相互に長軸が折畳み式に連結されて、第１モードないし第２モードで画面の上下左右の比率を異なるようにした構造となっている。
【００９１】
＜第５実施例＞
本発明の第５実施例によるモービル端末機が、図１０Ａと図１０Ｂに示されているが、これも携帯電話に適用された場合である。
【００９２】
これは、前述した第２実施例ないし第４実施例のように、本体部６０と表示部７０が相互に重なった状態であることは同一であるが、本体部６０と表示部７０が別途のヒンジ部材４０６によって折畳み式で連結され、この場合、拡張表示部９０は、本体部６０と接する表示部７０の内面または外面のうちのどちらか一方に折畳むことができる。そして、別途の平板表示装置６４は、表示部７０の内面に折畳む場合には、本体部６０と接する拡張表示部９０の外面に備えられ、表示部７０の外面に折畳む場合には、本体部６０と接する表示部７０の外面に備えられる。
【００９３】
その結果、本体部６０と表示部７０と拡張表示部９０とが互いに重なるように合わせられた状態で携帯され、必要に応じて、図１０Ａのように、表示部７０及び拡張表示部９０の全体を本体部６０から折畳み式で開けて入力手段６２を露出させることによって、電話通話等に利用されることができる他、大面積のディスプレー画面が必要な場合には、図１０Ｂに示したように、表示部７０に折畳まれた拡張表示部９０を開けて折畳まれた内面に備えた第１液晶表示装置１００及び第２液晶表示装置２００などの平板表示装置によって第１モードまたは第２モードで映像を表示することができる。
【００９４】
＜第６実施例＞
本実施例では、本発明によるモバイル端末機が携帯電話以外に、車両用ナビゲーションシステムまたは、小型ＴＶアプリケーションやＤＶＤプレーヤーに適用している。
【００９５】
図１１に示したように、表示部７０及びこれと折畳み式で連結された拡張表示部９０の第１液晶表示装置１００及び第２液晶表示装置２００でＴＶを視聴したり、映画感想または、ナビゲーションとして使用できて、この場合、本体部６０は、表示部７０の背面に一体で構成されたり、表示部７０の下段に、小さい面積で構成される。すなわち、必要に応じて、この場合、本体部６０と表示部７０は、同一平面上に位置を異にして一体化されて、拡張表示部９０は、表示部７０と折畳まれる。
【００９６】
従って、電源のオン/オフないし実行等の入力手段６２は、表示部７０の下段の所定の位置に露出して備える。
【００９７】
また、このような本実施例によるモバイル端末機の装着位置は、使用者の便宜ないし用途によって、いくらでも自由であって、一例として図面に示したように、バックミラーの位置に装着される場合には、本体部６０ないし表示部７０と、拡張表示部９０が相互に折れる場合に、使用者を向いて露出される外面に、ミラーをつけて既存のバックミラーの機能が同時にできて、ハンドルの右側の所定の位置に装着して、普通は、折った状態で小さい面積で保管して、必要によって、本体部６０ないし表示部７０と、拡張表示部９０を開いて、第１液晶表示装置１００及び第２液晶表示装置２００のような平板表示装置によって大面積映像を表示することができる。
【００９８】
＜第７実施例＞
本実施例は、モバイル端末機がノートブックないしラップトップコンピュータに適用したものであって、図１２または図１３にしめしたような形態が可能である。
【００９９】
図１２に示した形態は、入力手段６２として、キーボードーを備えた本体部６０と表示部７０が相互に別途のヒンジ等によって折畳み連結された形態であって、図示されたものとは違って、拡張表示部９０は、表示部７０の一側面へと側方連結できる。この場合、図示してはないが、拡張表示部９０の外面に別途の平板表示装置を装着することもできる。
【０１００】
また、図１３に示した形態は、表示部７０と折畳まれる拡張表示部が各々第１拡張表示部９０ａ及び第２拡張表示部９０ｂとに区分され、表示部７０の両側方に連結された状態であって、この折畳まれた内面に、各々第１液晶表示装置１００及び第２液晶表示装置２００ａ及び第３液晶表示装置２００ｂのような平板表示装置を備える。
【０１０１】
ところが、この場合も、前述した本発明の第１実施例の説明を基づくと、当業者であれば、自明な応用範囲内にあって、第１液晶表示装置１００、第２液晶表示装置２００ａ、及び第３液晶表示装置２００ｂの全体で１つの単一映像を具現したり、各々別途の映像を具現することもできる。
【０１０２】
一方、図１２または図１３に示したように、ノードブックないしラップトップコンピュータの場合、本体部６０は、その大きさが従来より小さくできる。その場合にも、本発明によって、映像表示面積は、従来と実質的に同様であるか、又はさらに大きい。
【図面の簡単な説明】
【０１０３】
【図１】一般的なモバイル端末機の斜視図である。
【図２Ａ】本発明の第１実施例によるモバイル端末機の折畳んだ状態の斜視図である。
【図２Ｂ】本発明の第１実施例によるモバイル端末機の開けた状態の斜視図である。
【図３】本発明によるモバイル端末機の液晶表示装置の一部を分解した斜視図である。
【図４】本発明によるモバイル端末機の液晶表示装置の回路図である。
【図５】本発明によるモバイル端末機の液晶表示装置の一部構成を示したブロック図である。
【図６Ａ】図２ＢのＶＩ−ＶＩ線に沿って切断した断面図である。
【図６Ｂ】図２ＢのＫ領域を拡大した平面図である。
【図７Ａ】本発明の第２実施例によるモバイル端末機の使用形態を示した平面図である。
【図７Ｂ】本発明の第２実施例によるモバイル端末機の使用形態を示した平面図である。
【図７Ｃ】本発明の第２実施例によるモバイル端末機の使用形態を示した平面図である。
【図８Ａ】本発明の第３実施例によるモバイル端末機の使用形態を示した平面図である。
【図８Ｂ】本発明の第３実施例によるモバイル端末機の使用形態を示した平面図である。
【図８Ｃ】本発明の第３実施例によるモバイル端末機の使用形態を示した平面図である。
【図９Ａ】本発明の第４実施例によるモバイル端末機の使用形態を示した平面図である。
【図９Ｂ】本発明の第４実施例によるモバイル端末機の使用形態を示した平面図である。
【図９Ｃ】本発明の第４実施例によるモバイル端末機の使用形態を示した平面図である。
【図１０Ａ】本発明の第５実施例によるモバイル端末機の使用形態を示した平面図である。
【図１０Ｂ】本発明の第５実施例によるモバイル端末機の使用形態を示した平面図である。
【図１１】本発明の第６実施例によるモバイル端末機の活用例を示した図である。
【図１２】本発明の第７実施例によるモバイル端末機の使用形態を示した平面図である。
【図１３】本発明の第８実施例によるモバイル端末機の使用形態を示した平面図である。
【符号の説明】
【０１０４】
６０：本体部                      
６２：操作ボタン
６４：平板表示装置                
７０：表示部
８０：ヒンジ                      
８２：第１ヒンジ端
８４：第２ヒンジ端                
８６：第１シャフト
８８：第２シャフト                
９０：拡張表示部
１００：第１液晶表示装置          
２００：第２液晶表示装置  
【図１】
2006174435.tif 000003
【図２Ａ】
2006174435.tif 000004
【図２Ｂ】
2006174435.tif 000005
【図３】
2006174435.tif 000006
【図４】
2006174435.tif 000007
【図５】
2006174435.tif 000008
【図６Ａ】
2006174435.tif 000009
【図６Ｂ】
2006174435.tif 000010
【図７Ａ】
2006174435.tif 000011
【図７Ｂ】
2006174435.tif 000012
【図７Ｃ】
2006174435.tif 000013
【図８Ａ】
2006174435.tif 000014
【図８Ｂ】
2006174435.tif 000015
【図８Ｃ】
2006174435.tif 000016
【図９Ａ】
2006174435.tif 000017
【図９Ｂ】
2006174435.tif 000018
【図９Ｃ】
2006174435.tif 000019
【図１０Ａ】
2006174435.tif 000020
【図１０Ｂ】
2006174435.tif 000021
【図１１】
2006174435.tif 000022
【図１２】
2006174435.tif 000023
【図１３】
2006174435.tif 000024